【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
電機子軸の一端側に設けられる円筒状の整流子と、
この整流子の外周上に配置されるブラシと、
このブラシを前記整流子の外周面に押圧するブラシスプリングとを有する回転電機において、
前記ブラシスプリングは、コイルばねであり、
前記ブラシは、軸方向の長さが、複数の前記コイルばねを軸方向に並べて配置できる寸法を有していることを特徴とする回転電機。
【請求項２】
請求項１に記載した回転電機において、
前記ブラシスプリングは、１個の前記ブラシに対し２個配置されていることを特徴とする回転電機。
【請求項３】
請求項２に記載した回転電機において、
複数の前記ブラシスプリングは、前記ブラシに対して軸方向に並んで配置されており、
前記整流子に対して前記ブラシの全体を均一に押圧していることを特徴とする回転電機。
【請求項４】
電機子軸の一端側に設けられる円筒状の整流子と、
この整流子の外周上に配置されるブラシと、
このブラシを前記整流子の外周面に押圧するブラシスプリングとを有する回転電機において、
前記整流子に対し前記ブラシを軸方向に複数並べて配置し、各ブラシ毎にそれぞれ前記ブラシスプリングを配置したことを特徴とする回転電機。
【請求項５】
請求項４に記載した回転電機において、
前記整流子に対し軸方向に並べて配置した複数の前記ブラシは、個々の寸法、および、材質が統一されていることを特徴とする回転電機。
【請求項６】
請求項４に記載した回転電機において、
前記整流子に対し軸方向に並べて配置した複数の前記ブラシは、個々の寸法、および、材質が異なることを特徴とする回転電機。
【請求項７】
請求項５または６に記載した回転電機において、
前記各ブラシ毎に配置された前記ブラシスプリングは、前記各ブラシ毎にスプリング荷重が異なることを特徴とする回転電機。
【請求項８】
請求項４〜７に記載した何れかの回転電機において、
前記ブラシを保持するブラシホルダと、
このブラシホルダが固定される金属製のホルダプレートとを有し、
前記ホルダプレートには、軸方向に切り起こした切り起こし片が設けられ、
電機子に対し低電位側に配置される負極側ブラシのピグテールが前記切り起こし片に溶接されていることを特徴とする回転電機。
【手続補正２】
【補正対象書類名】明細書
【補正対象項目名】０００５
【補正方法】変更
【補正の内容】
【０００５】
（請求項１に係る発明）
本発明は、電機子軸の一端側に設けられる円筒状の整流子と、この整流子の外周上に配置されるブラシと、このブラシを整流子の外周面に押圧するブラシスプリングとを有する回転電機において、ブラシスプリングは、コイルばねであり、ブラシは、軸方向の長さが、複数のコイルばねを軸方向に並べて配置できる寸法を有していることを特徴とする。
上記の構成によれば、ブラシの軸方向長さを長くして、整流子との接触面積を増大することにより、ブラシの摩耗を抑制でき、ブラシ寿命を向上できる。また、軸方向長さを長くしたブラシに対し複数のコイルばね（ブラシスプリング）を軸方向に並べて配置することで、整流子に対しブラシ全体を均一に押圧できる。これにより、ブラシの軸方向長さを長くしても、ブラシの軸方向両端部でコイルばねの押圧力が減少することはないので、ブラシの飛び跳ねを防止でき、整流の悪化およびブラシの損傷を抑制できる。
（請求項２に係る発明）
請求項１に記載した回転電機において、ブラシスプリングは、１個のブラシに対し２個配置されていることを特徴とする。
（請求項３に係る発明）
請求項２に記載した回転電機において、複数のブラシスプリングは、ブラシに対して軸方向に並んで配置されており、整流子に対してブラシの全体を均一に押圧していることを特徴とする。
（請求項４に係る発明）
本発明は、電機子軸の一端側に設けられる円筒状の整流子と、この整流子の外周上に配置されるブラシと、このブラシを整流子の外周面に押圧するブラシスプリングとを有する回転電機において、整流子に対しブラシを軸方向に複数並べて配置し、各ブラシ毎にそれぞれブラシスプリングを配置したことを特徴とする。
上記の構成によれば、整流子に対し軸方向に並べた複数のブラシを１個のブラシスプリングで押圧するのではなく、ブラシ毎にそれぞれブラシスプリングを配置するので、ブラシスプリングの押圧力がブラシ全体に均一に伝わる。その結果、ブラシの飛び跳ねを防止できるので、整流の悪化を抑制でき、且つ、ブラシの損傷も抑制できる。また、整流子に対しブラシを軸方向に複数並べて配置することにより、個々のブラシに通電される電流値を低減できるので、ブラシの摩耗を抑制でき、ブラシ寿命を向上できる。
【手続補正３】
【補正対象書類名】明細書
【補正対象項目名】０００６
【補正方法】変更
【補正の内容】
【０００６】
（請求項５に係る発明）
請求項４に記載した回転電機において、整流子に対し軸方向に並べて配置した複数のブラシは、個々の寸法、および、材質が統一されていることを特徴とする。
複数のブラシの規格（寸法および材質）を統一することにより、異なる規格のブラシを使用する必要がない、つまり、ブラシの種類を増やす必要がないので、整流子に対し軸方向に複数のブラシを並べて配置することに伴うコストアップを抑えることができる。
【手続補正４】
【補正対象書類名】明細書
【補正対象項目名】０００７
【補正方法】変更
【補正の内容】
【０００７】
（請求項６に係る発明）
請求項４に記載した回転電機において、整流子に対し軸方向に並べて配置した複数のブラシは、個々の寸法、および、材質が異なることを特徴とする。
例えば、規格（寸法および材質）が統一された２個のブラシを軸方向に並べて配置した場合、整流子の電機子側（電機子コイルに近い方）に配置されるブラシの方が、整流子の反電機子側（電機子コイルから遠い方）に配置されるブラシより、回路抵抗が小さくなる分だけ電流が流れやすくなるため、２個のブラシの摩耗量に偏りが生じる恐れがある。これに対し、整流子に対する軸方向の搭載位置に応じて、寸法および材質が異なるブラシを使用することにより、各ブラシの固有抵抗に応じて通電電流を調節することが可能となる。その結果、各ブラシの搭載位置による回路抵抗を略等しくできるので、各ブラシの摩耗量の偏りを抑制できる。
【手続補正５】
【補正対象書類名】明細書
【補正対象項目名】０００８
【補正方法】変更
【補正の内容】
【０００８】
（請求項７に係る発明）
請求項５または６に記載した回転電機において、各ブラシ毎に配置されたブラシスプリングは、各ブラシ毎にスプリング荷重が異なることを特徴とする。
整流子の外周面にブラシを押圧するブラシスプリングの押圧力（スプリング荷重）が大きい場合と小さい場合とでは、大きい場合の方が、整流子とブラシとの面圧が増大するため、ブラシの通電電流が大きくなる。そこで、本発明では、各ブラシの通電電流が略等しくなる様に、各ブラシ毎にスプリング荷重をそれぞれ適切に設定して、整流子とブラシとの面圧を調節することにより、各ブラシの摩耗量の偏りを抑制できる。
また、スプリング荷重を調節することで、整流子の径方向の振れを調節することができる
【手続補正６】
【補正対象書類名】明細書
【補正対象項目名】０００９
【補正方法】変更
【補正の内容】
【０００９】
（請求項８に係る発明）
請求項４〜７に記載した何れかの回転電機において、ブラシを保持するブラシホルダと、このブラシホルダが固定される金属製のホルダプレートとを有し、このホルダプレートには、軸方向に切り起こした切り起こし片が設けられ、電機子に対し低電位側（アース側）に配置される負極側ブラシのピグテールが切り起こし片に溶接されていることを特徴とする。
上記の構成によれば、負極側ブラシのピグテールをホルダプレートの表面に溶接する必要はなく、ホルダプレートから軸方向に切り起こされた切り起こし片に溶接するので、整流子に対し軸方向に並べて配置した複数のブラシ（負極側ブラシ）のピグテールの長さを等しくできる。ピグテールの長さを等しくすることで、異なる規格のブラシを使用する必要がなく、ブラシの種類を増やす必要がない。
【手続補正７】
【補正対象書類名】明細書
【補正対象項目名】００１１
【補正方法】削除
【補正の内容】